(57)【特許請求の範囲】
【請求項１】
ケースと、
前記ケース内に設けられた文字板と、
前記文字板の下側に配置されたモジュールと、を備え、
前記モジュールは、端部に配置されて高周波の電波を受信する第１のアンテナと、この第１のアンテナに対向する他端部に配置されて前記高周波の電波と異なる周波数の電波を受信する第２のアンテナと、を有していることを特徴とする電子機器。
【請求項２】
請求項１に記載の電子機器において、前記モジュールは、前記文字板に設けられた貫通孔に挿入された指針軸を有していることを特徴とする電子機器。
【請求項３】
請求項１または請求項２に記載の電子機器において、前記文字板は光透過性を有する材料で形成され、前記文字板と前記モジュールとの間には、外部光を受光して発電するソーラーパネルが配置されていることを特徴とする電子機器。
【請求項４】
請求項３に記載の電子機器において、前記ソーラーパネルは、少なくとも前記第１のアンテナに対応する領域が非発電部に形成されていることを特徴とする電子機器。
【請求項５】
請求項４に記載の電子機器において、前記文字板は、１２時と６時とを結ぶ直線に対して線対称の模様を有し、
前記模様に対して前記ソーラーパネルの前記非発電部の境界線が予め定められた角度で傾斜していることを特徴とする電子機器。
【請求項６】
請求項５に記載の電子機器において、前記模様は、所定間隔で周期的に形成されていることを特徴とする電子機器。
【請求項７】
請求項１〜請求項６のいずれかに記載された電子機器において、前記第１のアンテナの両側には、１つの小針を有する第１の副表示部と、２つの小針を有する第２の副表示部と、が配置され、
前記第１の副表示部は、前記第２の副表示部より前記第１のアンテナに近く、前記第１の副表示部の小針軸に近接配置されていることを特徴とする電子機器。
【請求項８】
腕時計ケースと、
前記腕時計ケース内に設けられた文字板と、
前記文字板の下側に配置された時計モジュールと、を備え、
前記時計モジュールは、端部に配置されて高周波の電波を受信する第１のアンテナと、この第１のアンテナに対向する他端部に配置されて前記高周波の電波と異なる周波数の電波を受信する第２のアンテナと、を有していることを特徴とする腕時計。
【発明の詳細な説明】
【技術分野】
【０００１】
この発明は、腕時計や携帯電話機、携帯情報端末機などの電子機器および腕時計に関する。
【背景技術】
【０００２】
例えば、腕時計においては、特許文献１に記載されているように、腕時計ケース内にインダクタンスの異なる第１のアンテナと第２のアンテナとを設け、これら第１のアンテナと第２のアンテナとによって標準時刻電波を受信するように構成されたものが知られている。
【先行技術文献】
【特許文献】
【０００３】
【特許文献１】特開２００７−２５６１５９号公報
【０００４】
この種の腕時計では、第１のアンテナと第２のアンテナとの各軸線が９０度の角度をなすように、第１のアンテナと第２のアンテナとを配置し、切替回路によって第１、第２のアンテナを単独に接続するか、直列に接続するか、あるいは並列に接続するか、を切り替えることにより、電波の方向や磁界強度に依存しない受信が行えるように構成されている。
【発明の概要】
【発明が解決しようとする課題】
【０００５】
しかしながら、このような腕時計では、標準時刻電波などの１種類の電波を安定して受信することができても、異なる周波数の電波、例えばＧＰＳ（Global  Positioning  System）用の高周波の電波と標準時刻用の長波の電波とをそれぞれ受信することができない。
【０００６】
この発明が解決しようとする課題は、異なる周波数の電波を良好に受信することができる電子機器を提供することである。
【課題を解決するための手段】
【０００７】
この発明は、ケースと、このケース内に設けられた文字板と、この文字板の下側に配置されたモジュールと、を備え、前記モジュールは、端部に配置されて高周波の電波を受信する第１のアンテナと、この第１のアンテナに対向する他端部に配置されて前記高周波の電波と異なる周波数の電波を受信する第２のアンテナと、を有していることを特徴とする電子機器である。
【発明の効果】
【０００８】
この発明によれば、モジュールの端部に配置された第１のアンテナによって高周波の電波を受信することができ、この第１のアンテナに対向する他端部に配置された第２のアンテナによって高周波の電波と異なる他の周波数の電波を受信することができる。これにより、異なる周波数の電波を良好に受信することができる。
【図面の簡単な説明】
【０００９】
【図１】この発明を指針式の腕時計に適用した第１実施形態を示した拡大正面図である。
【図２】図１に示された腕時計のＡ−Ａ矢視における拡大断面図である。
【図３】図１に示された腕時計において、文字板が配置された状態の時計モジュールを示した拡大正面図である。
【図４】図１に示された腕時計において、文字板を取り除いた状態の時計モジュールを示した拡大正面図である。
【図５】図３に示された時計モジュールにおいて、ソーラーパネル、第１のアンテナ、および第２のアンテナを示した拡大正面図である。
【図６】図３に示された時計モジュールにおける文字板のストライプ模様を示した拡大正面図である。
【図７】この発明を適用した腕時計における文字板の第１変形例の格子模様を示した拡大正面図である。
【図８】この発明を適用した腕時計における文字板の第２変形例の市松模様を示した拡大正面図である。
【図９】この発明を適用した腕時計における文字板の第３変形例の格子模様を示した拡大正面図である。
【図１０】この発明を指針式の腕時計に適用した第２実施形態において、文字板が配置された状態の時計モジュールを示した拡大正面図である。
【図１１】この発明を指針式の腕時計に適用した第３実施形態において、文字板が配置された状態の時計モジュールを示した拡大正面図である。
【図１２】この発明を指針式の腕時計に適用した第４実施形態において、文字板が配置された状態の時計モジュールを示した拡大正面図である。
【発明を実施するための形態】
【００１０】
（第１実施形態）
以下、図１〜図６を参照して、この発明を指針式の腕時計に適用した第１実施形態について説明する。
この腕時計は、図１および図２に示すように、腕時計ケース１を備えている。この腕時計ケース１の上部開口部には、時計ガラス２がパッキン２ａを介して装着されている。また、この腕時計ケース１の下部には、裏蓋３が取り付けられている。
【００１１】
この腕時計ケース１の１２時側と６時側とに位置する外側面には、図１および図２に示すように、バンド取付部４がそれぞれ設けられている。さらに、腕時計ケース１の３時側に位置する側面には、竜頭５が設けられており、この腕時計ケース１の２時側、４時側、８時側に位置する各側面には、それぞれ押釦スイッチ６が設けられている。
【００１２】
また、この腕時計ケース１の内部には、図２に示すように、時計モジュール７が組み込まれている。この時計モジュール７の上側には、文字板８がソーラーパネル９を介して配置されており、この文字板８の上側における外周部には、リング状の見切り部材１０が設けられている。
【００１３】
時計モジュール７は、図２に示すように、上部ハウジング１１と下部ハウジング１２とを有し、これら上部ハウジング１１と下部ハウジング１２との間に回路基板１３が配置された構成になっている。この場合、上部ハウジング１１には、時計ムーブメント１４、第１のアンテナ１５、第２のアンテナ１６が組み込まれている。また、下部ハウジング１２には、釦電池１７が設けられている。
【００１４】
時計ムーブメント１４は、図１および図２に示すように、文字板８およびソーラーパネル９の中心部に設けられた貫通孔１８に挿入する指針軸１９を有している。この場合、指針軸１９の上端部には、時針、分針、秒針などの金属材料からなる指針２０が取り付けられている。これにより、時計ムーブメント１４は、指針軸１９を回転させて、指針２０を文字板８の上方で運針させることにより、時刻を指示表示するように構成されている。
【００１５】
また、この時計ムーブメント１４は、図１〜図３に示すように、第１の副表示部２１の金属材料からなる第１小針２１ａ、第２の副表示部２２の金属材料からなる２つの第２小針２２ａ、２２ｂ、および第３の副表示部２３の金属材料からなる１つの第３小針２３ａを、それぞれ文字板８の上方で運針させると共に、図２および図４に示すように、日車２４を文字板８の下側で回転させるように構成されている。
【００１６】
この場合、第１の副表示部２１は、時計機能のモードや外部環境の温度、湿度などの機能を表示するものであり、図１および図３に示すように、１つの第１小針２１ａを備えている。この第１の副表示部２１は、文字板８の中心部の貫通孔１８と文字板８の３時側の端部との間に対応する位置に配置されている。この第１の副表示部２１は、１つの第１小針２１ａの回転範囲が所定の角度範囲、例えば１８０度〜３００度程度の角度範囲であり、この第１実施形態では２５０度前後の角度範囲に設定されている。
【００１７】
また、第２の副表示部２２は、世界の各都市の時刻を表示するワールドタイムなどを表示するものであり、図１および図３に示すように、２つの第２小針２２ａ、２２ｂを備えている。この第２の副表示部２２は、文字板８の中心部の貫通孔１８と文字板８の８時側の端部との間に対応する位置に配置されている。この第２の副表示部２２は、２つの第２小針２２ａ、２２ｂが輪列機構により連動して動作するように構成され、それぞれ３６０度回転するように構成されている。
【００１８】
また、第３の副表示部２３は、アラーム時刻やタイマー時間などの時間機能を表示するものであり、図１および図３に示すように、１つの第３小針２３ａを備えている。この第３の副表示部２３は、文字板８の中心部の貫通孔１８と文字板８の１０時側の端部との間に対応する位置に配置されている。この第３の副表示部２３は、１つの第３小針２３ａが３６０度回転するように構成されている。
【００１９】
さらに、日車２４は、図４に示すように、リング状に形成され、その上面に１〜３１の日付が表示され、これらの日付の１つが文字板８の４時側に位置する日窓８ａに対応するように形成されている。すなわち、この日車２４は、図２および図４に示すように、上部ハウジング１１の上面における外周部上に回転可能に配置されている。この場合、日車２４は、その上面が耐磁板３５によって回転可能な状態で、上部ハウジング１１上に押えられている。
【００２０】
この耐磁板３５は、時計ムーブメント１４に対する外部からの磁界の影響を防ぐためのものであり、図４に示すように、その一端部が上部ハウジング１１の２時側に取り付けられ、他端部が上部ハウジング１１の８時側に取り付けられている。この耐磁板３５は、第１のアンテナ１５と第２のアンテナ１６との各上側を覆うことがなく、日車２４上に配置されている。これにより、日車２４は、時計ムーブメント１４によって駆動されて１日に一度、所定角度だけ回転して、日窓８ａに対応する日付が替わるように構成されている。
【００２１】
ところで、第１のアンテナ１５は、ＧＰＳ用の高周波（例えば、１５７５．４２ＭＨｚ）の電波を受信するパッチアンテナであり、第２のアンテナ１６は、標準時刻用の長波（例えば、４０〜７７．５ＫＨｚ）の電波を受信するバーアンテナである。この第１のアンテナ１５と第２のアンテナ１６とは、図１〜図３に示すように、時計モジュール７の互いに対向する端部にそれぞれ配置されている。
【００２２】
すなわち、第１のアンテナ１５と第２のアンテナ１６とは、図１および図３に示すように、１２時と６時とを結ぶ直線Ｓ１をその中心で両側に約５０度づつ回転させることによって形成された、約１００度の角度範囲内において対向して配置されるように構成されている。この場合、第１のアンテナ１５は、時計モジュール７における４時付近から５時を経てほぼ６時に到達する個所に対応して配置されているように構成されている。
【００２３】
これにより、第１のアンテナ１５は、図１および図３に示すように、第１〜第３の各副表示部２１〜２３の各中心部を結ぶ三角形の長辺側に対応して配置され、第１〜第３の各副表示部２１〜２３による影響が極力及ばないように配置されている。また、第２のアンテナ１６は、時計モジュール７における１０時付近から１１時を経てほぼ１２時に到達する個所に対応して配置されるように構成されている。
【００２４】
この場合、第１のアンテナ１５は、図１〜図３に示すように、文字板８の中心部の貫通孔１８と文字板８の５時側附近の端部との間に対応する位置に配置されている。すなわち、この第１のアンテナ１５は、その中心部が文字板８の１２時と６時とを結ぶ直線Ｓ１に対して、文字板８の中心において反時計回り方向に約２５度の角度で交差する直線Ｓ２上に位置して設けられている。
【００２５】
また、この第１のアンテナ１５は、図１および図３に示すように、そのアンテナ領域がほぼ四角形状に形成され、時計モジュール７の外周側に位置する辺部が４時付近と６時付近との間に位置し、時計モジュール７の中心部の貫通孔１８側に位置する辺部における両側の各角部１５ａ、１５ｂのうち、一方の角部１５ａが第１の副表示部２１の領域に大きく食い込んだ状態で重なり、他方の角部１５ｂが第２の副表示部２２の領域に接近または少し食い込んだ状態で重なるように配置されている。
【００２６】
この場合、第１のアンテナ１５は、図１および図３に示すように、時計モジュール７の中心部の貫通孔１８側の辺部に位置する各角部１５ａ、１５ｂのうち、一方の角部１５ａが第１の副表示部２１の領域に大きく食い込んだ状態で重なっていても、この第１の副表示部２１における１つの第１小針２１ａが第１のアンテナ１５の領域上を運針または第１のアンテナ１５の領域上に停止しないように構成されている。これにより、第１のアンテナ１５は、ＧＰＳ用の高周波の電波を受信する際の受信性能に対する第１小針２１ａによる影響が軽減されるように構成されている。
【００２７】
すなわち、第１の副表示部２１は、図１および図３に示すように、１つの第１小針２１ａの回転範囲が所定の角度範囲、例えば２５０度前後の角度範囲であり、この角度範囲以外の個所が第１のアンテナ１５の領域上に重なっていることにより、第１小針２１ａが第１のアンテナ１５の領域上を運針しないように構成されている。このため、第１のアンテナ１５は、ＧＰＳ用の高周波の電波を受信する際に、受信性能が第１の副表示部２１における１つの第１小針２１ａによって低下しないように構成されている。
【００２８】
また、この第１のアンテナ１５は、図１および図３に示すように、時計モジュール７の中心部の貫通孔１８側の辺部に位置する各角部１５ａ、１５ｂのうち、他方の角部１５ｂが第２の副表示部２２の領域に接近または少し食い込んだ状態で重なるように配置されている。これにより、第１のアンテナ１５は、ＧＰＳ用の高周波の電波を受信する際の受信性能に対して、２つの第２小針２２ａ、２２ｂによる影響がほとんど及ばないように構成されている。
【００２９】
一方、第２のアンテナ１６は、図１〜図３に示すように、第１のアンテナ１５に対向する文字板８の１１時側の外周部に対応して配置されている。すなわち、この第２のアンテナ１６は、コアにコイルを巻き付けた細長い形状のバーアンテナであり、その中心が第１のアンテナ１５の中心線を通る直線である対角線Ｓ２上に位置するように構成されている。
【００３０】
この場合、第２のアンテナ１６は、図１〜図３に示すように、その一端部が文字板８の１２時に対応し、他端部が文字板８の１０時に対応し、この状態で文字板８の外周部に沿うように、上部ハウジング１１内に設けられている。これにより、第２のアンテナ１６は、第３の副表示部２３が重ならないように配置されている。このため、第２のアンテナ１６は、標準時刻電波などの長波の電波を受信する際の受信性能に対して、第３の副表示部２３の第３小針２３ａによる影響が及ばないように構成されている。
【００３１】
ところで、時計モジュール７と文字板８との間に配置されたソーラーパネル９は、外部光を受光して発電するものであり、図５に示すように、文字板８の外形とほぼ同じ外形をなし、複数のセル９ａがそれぞれ同じ受光面積でほぼ放射状に配列されるように構成されている。
【００３２】
すなわち、これら複数のセル９ａは、フィルム基板上にアルミニウムなどの金属からなる下部電極を設け、この下部電極上にアモルファスシリコン（ａ−Ｓｉ）などの半導体層を設け、この半導体層上にＩＴＯ（Indium  Tin  Oxide）などの透明な上部電極を設け、これら下部電極および上部電極をそれぞれ接続することにより、複数の接９ａを直列に接続した構成になっている。
【００３３】
このソーラーパネル９には、図５に示すように、その中心に指針軸１９が挿入する貫通孔１８が設けられていると共に、第１の副表示部２１の第１小針２１ａ、第２の副表示部２２の第２小針２２ａ、２２ｂ、および第３の副表示部２３の第３小針２１ａの各軸（図示せず）がそれぞれ挿入する各貫通孔２５が設けられている。
【００３４】
この場合、ソーラーパネル９は、複数のセル９ａの各下部電極と各上部電極とが金属で形成されているため、第１のアンテナ１５と第２のアンテナ１６との受信性能の低下を招く。このため、ソーラーパネル９は、図５に示すように、第１のアンテナ１５に対応する個所に第１の非発電部２６が設けられていると共に、第２のアンテナ１６に対応する個所に第２の非発電部２７が設けられた構成になっている。
【００３５】
すなわち、第１の非発電部２６は、図５に示すように、第１のアンテナ１５に対応する領域をほぼ四角形状に切り欠くことにより、外部光を受光しない領域に形成されている。また、第２の非発電部２７は、第２のアンテナ１６に対応する領域をほぼ円弧状に切り欠くことにより、外部光を受光しない領域に形成されている。
【００３６】
これにより、第１の非発電部２６の周囲に位置するソーラーパネル９と第１のアンテナ１５との境界部、および第２の非発電部２７の周囲に位置するソーラーパネル９と第２のアンテナ１６との境界部には、段差が生じる。このため、これら各境界部の各段差を隠すため、文字板８には、図６に示すように、ストライプ模様２８が施されている。すなわち、文字板８は、透明または半透明の樹脂シートからなり、その表面にストライプ模様２８が設けられている。
【００３７】
この文字板８のストライプ模様２８は、図６に示すように、第１の非発電部２６とソーラーパネル９との境界線、および第２の非発電部２７とソーラーパネル９との境界線に対して、それぞれ予め定められた角度で傾斜する多数の細線状の模様を設けることによって形成されている。この場合、多数の細線は、第１のアンテナ１５の中心と第２のアンテナ１６の中心とを結ぶ直線Ｓ２に対して交差する直線、例えば文字板８の１２時と６時とを結ぶ直線Ｓ１と平行な直線で形成されている。
【００３８】
これにより、文字板８のストライプ模様２８は、図６に示すように、第１の非発電部２６の周囲に位置するソーラーパネル９と第１のアンテナ１５との境界部、および第２の非発電部２７の周囲に位置するソーラーパネル９と第２のアンテナ１６との境界部における各段差が目立たないように構成されている。この場合、文字板８は、その表面にストライプ模様２８が設けられていても、外部光を透過してソーラーパネル９に照射させるように構成されている。
【００３９】
次に、このような腕時計の作用について説明する。
この腕時計を腕に取り付けて使用する場合には、腕時計ケース１の６時側が人体側に位置し、腕時計ケース１の１２時側が人体と反対側に位置することにより、腕時計ケース１の１２時側が人体から離れて開放される。
【００４０】
この状態で、例えばＧＰＳ用の高周波の電波を第１のアンテナ１５で受信する際には、人体の前方からＧＰＳ用の高周波の電波が第１のアンテナ１５に向けて侵入する。このときには、時計モジュール７と文字板８との間にソーラーパネル９が配置されているが、このソーラーパネル９に設けられた第１の非発電部２６を通してＧＰＳ用の高周波の電波が第１のアンテナ１５に取り込まれる。これにより、第１のアンテナ１５がＧＰＳ用の高周波の電波を受信する。
【００４１】
この場合には、時計モジュール７の中心部の貫通孔１８側に位置する第１のアンテナ１５の辺部における両側の各角部１５ａ、１５ｂのうち、一方の角部１５ａが第１の副表示部２１の領域に食い込んだ状態で重なっていても、この第１の副表示部２１における１つの第１小針２１ａが第１のアンテナ１５の領域上を運針しない。このため、第１のアンテナ１５は、その受信性能に対する第１小針２１ａの影響が軽減される。
【００４２】
すなわち、第１の副表示部２１は、図１および図３に示すように、１つの第１小針２１ａの回転範囲が所定の角度範囲、例えば２５０度前後の角度範囲であることにより、第１の副表示部２１の一部が第１のアンテナ１５の領域上に重なっていても、第１小針２１ａが第１のアンテナ１５の領域上を運針することがない。このため、第１のアンテナ１５は、第１の副表示部２１における１つの第１小針２１ａによって受信性能が低下せず、ＧＰＳ用の高周波の電波を良好に受信する。
【００４３】
また、この第１のアンテナ１５は、図１および図３に示すように、時計モジュール７の中心部の貫通孔１８側の辺部に位置する各角部１５ａ、１５ｂのうち、他方の角部１５ｂが第２の副表示部２２の領域に接近または少し食い込んだ状態で重なるように配置されているが、第１のアンテナ１５の受信性能に対する２つの第２小針２２ａ、２２ｂの影響をほとんど受けることがない。このため、ＧＰＳ用の高周波の電波を良好に受信する。
【００４４】
一方、標準時刻用の長波の電波を第２のアンテナ１６で受信する際には、人体の前方から標準時刻用の長波の電波が第２のアンテナ１６に向けて侵入する。このときにも、時計モジュール７と文字板８との間にソーラーパネル９が配置されているが、このソーラーパネル９に設けられた第２の非発電部２７を通して標準時刻用の長波の電波が第２のアンテナ１６に取り込まれる。
【００４５】
このため、第２のアンテナ１６が標準時刻用の長波の電波を良好に受信する。この場合、第２のアンテナ１６は、第３の副表示部２３が重ならないように配置されているので、第２のアンテナ１６の受信性能が第３の副表示部２３の第３小針２３ａの影響をほとんど受けることがない。これにより、第２のアンテナ１６が標準時刻電波などの長波の電波を良好に受信する。
【００４６】
また、このように、第１のアンテナ１５と第２のアンテナ１６とが波長の異なる２種類の電波を受信しているか否かに係わらず、太陽光などの外部光が時計ガラス２を通して腕時計ケース１内に取り込まれ、この取り込まれた外部光が文字板８を透過してソーラーパネル９に照射される。このため、ソーラーパネル９に照射された外部光がソーラーパネル９の複数のセル９ａで受光され、この受光した外部光によって複数のセル９ａがそれぞれ発電し、この発電された電力が時計モジュール７内の回路基板１３に供給されて充電される。
【００４７】
この場合、第１の非発電部２６の周囲に位置するソーラーパネル９と第１のアンテナ１５との境界部、および第２の非発電部２７の周囲に位置するソーラーパネル９と第２のアンテナ１６との境界部に、それぞれ段差が生じていても、この段差が文字板８のストライプ模様２８によって目立たないように隠すことができる。
【００４８】
すなわち、文字板８のストライプ模様２８は、第１の非発電部２６とソーラーパネル９との境界線、および第２の非発電部２７とソーラーパネル９との境界線に対して、それぞれ予め定められた角度で傾斜する多数の細線状の模様を設けることによって形成されているので、第１のアンテナ１５の中心と第２のアンテナ１６の中心とを結ぶ直線Ｓ２に対してストライプ模様２８の多数の細線が交差し、これにより段差が目立たない。
【００４９】
このように、この腕時計によれば、時計ガラス２が設けられた腕時計ケース１と、この腕時計ケース１内に設けられた文字板８と、この文字板８の下側に配置された時計モジュール７と、を備え、時計モジュール７が、その端部に配置されてＧＰＳ用の高周波の電波を受信する第１のアンテナ１５と、この第１のアンテナ１５に対向する時計モジュール７の他端部に配置されてＧＰＳ用の高周波の電波と異なる他の周波数の電波、例えば標準時刻用の長波の電波を受信する第２のアンテナ１６と、を有していることにより、異なる周波数の電波を良好に受信することができる。
【００５０】
すなわち、この腕時計では、時計モジュール７の端部に配置された第１のアンテナ１５によってＧＰＳ用の高周波の電波を受信することができ、この第１のアンテナ１５に対向する時計モジュール７の他端部に配置された第２のアンテナ１６によってＧＰＳ用の高周波の電波と異なる他の周波数である標準時刻用の長波の電波を受信することができる。これにより、周波数の異なる電波を第１のアンテナ１５と第２のアンテナ１６とで確実にかつ良好に受信することができる。
【００５１】
この場合、第１のアンテナ１５と第２のアンテナ１６とは、図１および図３に示すように、１２時と６時とを結ぶ直線Ｓ１を中心すると約１００度の角度範囲内において対向して配置されていることにより、腕時計を腕に取り付けて使用する際に、腕時計ケース１の６時側が人体側に位置し、腕時計ケース１の１２時側が人体と反対側に位置し、これにより腕時計ケース１の１２時側を人体から離して開放することができるので、人体から離れた１２時側より周波数の異なる電波を第１のアンテナ１５と第２のアンテナ１６とで良好に受信することができる。
【００５２】
すなわち、第１のアンテナ１５は、時計モジュール７における４時付近から５時を経てほぼ６時に到達する個所に対応して配置され、第２のアンテナ１６は、時計モジュール７における１０時付近から１１時を経てほぼ１２時に到達する個所に対応して配置されるので、ＧＰＳ用の高周波の電波を腕時計ケース１の１２時側から取り込んで、第１のアンテナ１５で良好に受信することができると共に、標準時刻用の長波の電波を腕時計ケース１の１２時側から取り込んで、第２のアンテナ１６で良好に受信することができる。
【００５３】
この場合、第１のアンテナ１５は、時計モジュール７における４時付近から５時を経てほぼ６時に到達する個所に対応して配置され、第２のアンテナ１６は、時計モジュール７における１０時付近から１１時を経てほぼ１２時に到達する個所に対応して配置されるので、腕時計ケース１の３時側に竜頭５を設け、腕時計ケース１の２時側、４時側、８時側に押釦スイッチ６をそれぞれ設けることができ、これによりスイッチ操作性が損なわれず、スイッチ操作性を向上させることができる。
【００５４】
また、この腕時計では、時計モジュール７が文字板８に設けられた貫通孔１８に挿入された指針軸１９を有しているので、この指針軸１９の上端部に取り付けられた指針２０を文字板８の上方で運針させて時刻を指示表示することができる。このように、指針２０が文字板８の上方を運針しても、この指針２０によって第１のアンテナ１５と第２のアンテナ１６との各受信性能がほとんど影響を受けることがなく、第１のアンテナ１５と第２のアンテナ１６とで周波数の異なる電波を良好に受信することができる。
【００５５】
また、この腕時計では、文字板８が光透過性を有する合成樹脂製のシートからなり、この文字板８と時計モジュール７との間に外部光を受光して発電するソーラーパネル９が配置されていることにより、文字板８を通して外部光をソーラーパネル９に照射させることができ、これによりソーラーパネル９で良好に発電することができる。
【００５６】
この場合、ソーラーパネル９は、少なくとも第１のアンテナ１５に対応する領域が第１の非発電部２６に形成されていることにより、ソーラーパネル９の第１の非発電部２６によって、電波を遮ることがなく、確実にかつ良好に電波を通過させることができるので、第１のアンテナ１５の受信性能がソーラーパネル９によって低下することがなく、第１のアンテナ１５でＧＰＳ用の高周波の電波を良好に受信することができる。
【００５７】
また、このソーラーパネル９は、第２のアンテナ１６に対応する領域が第２の非発電部２７に形成されていることにより、このソーラーパネル９の第２の非発電部２７によって、電波を遮ることがなく、確実にかつ良好に電波を通過させることができるので、第２のアンテナ１６の受信性能がソーラーパネル９によって低下することがなく、第２のアンテナ１６で標準時刻用の長波の電波を良好に受信することができる。
【００５８】
この場合、文字板８には、ソーラーパネル９における第１の非発電部２６の境界線と第２の非発電部２７の境界線とに対して、予め定められた角度で傾斜するストライプ模様２８が設けられていることにより、第１の非発電部２６の周囲に位置するソーラーパネル９と第１のアンテナ１５との境界部、および第２の非発電部２７の周囲に位置するソーラーパネル９と第２のアンテナ１６との境界部に、それぞれ段差が生じていても、この段差が文字板８のストライプ模様２８によって目立たないように隠すことができる。
【００５９】
すなわち、文字板８のストライプ模様２８は、第１の非発電部２６とソーラーパネル９との境界線、および第２の非発電部２７とソーラーパネル９との境界線に対して、それぞれ予め定められた角度で傾斜する多数の細線状の模様を設けることによって形成されているので、第１のアンテナ１５の中心と第２のアンテナ１６の中心とを結ぶ直線Ｓ２に対してストライプ模様２８の多数の細線を交差させることができ、これにより段差が目立たないように隠すことができるので、デザイン性の良いものを提供することができる。
【００６０】
さらに、この腕時計の時計モジュール７は、第１のアンテナ１５の両側に、１つの第１小針２１ａを有する第１の副表示部２１と、２つの第２小針２２ａ、２２ｂを有する第２の副表示部２２と、が設けられた構成であることにより、指針２０によって時刻を指示表示することができるほか、第１の副表示部２１の第１小針２１ａによって、時計機能のモードや外部環境の温度、湿度などの機能を表示することができると共に、第２の副表示部２２の第２小針２２ａ、２２ｂによって、世界の各都市の時刻を表示するワールドタイムなどを表示することができ、これにより多機能表示ができる。
【００６１】
この場合、時計モジュール７の中心部の貫通孔１８側に位置する第１のアンテナ１５の辺部における両側の各角部１５ａ、１５ｂのうち、一方の角部１５ａが第１の副表示部２１の領域に食い込んだ状態で重なっていても、この第１の副表示部２１における１つの第１小針２１ａが第１のアンテナ１５の領域上を運針しないため、第１のアンテナ１５の受信性能が第１小針２１ａによって低下しないようにすることができる。
【００６２】
すなわち、第１の副表示部２１は、図１および図３に示すように、１つの第１小針２１ａの回転範囲が所定の角度範囲、例えば２５０度前後の角度範囲であることにより、第１の副表示部２１の一部が第１のアンテナ１５の領域上に重なっていても、第１小針２１ａが第１のアンテナ１５の領域上を運針することがないので、第１の副表示部２１における１つの第１小針２１ａによって、第１のアンテナ１５の受信性能が低下することがなく、ＧＰＳ用の高周波の電波を良好に受信することができる。
【００６３】
また、この第１のアンテナ１５は、図１および図３に示すように、時計モジュール７の中心部の貫通孔１８側の辺部に位置する各角部１５ａ、１５ｂのうち、他方の角部１５ｂが第２の副表示部２２の領域に接近または少し食い込んだ状態で重なるように配置されていても、第１のアンテナ１５の受信性能が２つの第２小針２２ａ、２２ｂの影響をほとんど受けないようにすることができ、これによりＧＰＳ用の高周波の電波を良好に受信することができる。
【００６４】
また、この腕時計の時計モジュール７は、第２のアンテナ１６の近傍に１つの第３小針２３ａを有する第３の副表示部２３が設けられていることにより、指針２０によって時刻を指示表示し、第１の副表示部２１の第１小針２１ａによって時計機能のモードや外部環境の温度、湿度などの機能を表示し、第２の副表示部２２の第２小針２２ａ、２２ｂによって世界の各都市の時刻を表示するワールドタイムなどを表示するほか、第３の副表示部２３の第３小針２３ａによってアラーム時刻やタイマー時間などの時間機能を表示することができ、これにより多機能表示ができる。
【００６５】
この場合にも、第２のアンテナ１６は、第３の副表示部２３が重ならないように配置されているので、第３の副表示部２３の第３小針２３ａによって第２のアンテナ１６の受信性能が低下しないようにすることができ、これにより第２のアンテナ１６で標準時刻電波などの長波の電波を良好に受信することができる。
【００６６】
このように、この腕時計では、第１のアンテナ１５の両側に、１つの第１小針２１ａを有する第１の副表示部２１と、２つの第２小針２２ａ、２２ｂを有する第２の副表示部２２と、が設けられ、第２のアンテナ１６の近傍に１つの第３小針２３ａを有する第３の副表示部２３が設けられていることにより、多機能表示ができると共に、デザイン性に優れたものを提供することができる。
【００６７】
また、この腕時計では、耐磁板３５の一端部が時計モジュール７の２時側に取り付けられ、耐磁板３５の他端部が時計モジュール７の８時側に取り付けられ、この状態で耐磁板３５が第１のアンテナ１５と第２のアンテナ１６との各上側を覆うことがなく、時計モジュール７上に配置されているので、第１のアンテナ１５と第２のアンテナ１６との各受信性能に影響を及ぼすことなく、耐磁板３５によって時計モジュール７の時計ムーブメント１４が外部からの磁界の影響を受けないようにすることができる。
【００６８】
なお、上述した第１実施形態では、文字板８にストライプ模様２８を設けた場合について述べたが、これに限らず、例えば図７に示す第１変形例、図８に示す第２変形例、および図９に示す第３変形例のような模様を設けても良い。
【００６９】
すなわち、図７に示された第１変形例は、ソーラーパネル９と第１の非発電部２６との境界線、およびソーラーパネル９と第２の非発電部２７との境界線に対して、それぞれ交差する多数の細線によって形成された１２時―６時方向および３時―９時方向の格子模様３０を文字板８に設けた構成になっている。
【００７０】
このような第１変形例の格子模様３０によっても、第１の非発電部２６の周囲に位置するソーラーパネル９と第１のアンテナ１５との境界部、および第２の非発電部２７の周囲に位置するソーラーパネル９と第２のアンテナ１６との境界部に、それぞれ段差が生じていても、この段差が文字板８の格子模様３０によって目立たないように隠すことができ、これによりデザイン性を向上させることができる。
【００７１】
また、図８に示された第２変形例は、ソーラーパネル９と第１の非発電部２６との境界線、およびソーラーパネル９と第２の非発電部２７との境界線に対して、それぞれ交差する方向に沿って、所定間隔で周期的に形成された市松模様３１を文字板８に設けた構成になっている。
【００７２】
このような第２変形例の市松模様３１によっても、第１の非発電部２６の周囲に位置するソーラーパネル９と第１のアンテナ１５との境界部、および第２の非発電部２７の周囲に位置するソーラーパネル９と第２のアンテナ１６との境界部に、それぞれ段差が生じていても、この段差が文字板８の市松模様３１によって目立たないように隠すことができ、これによりデザイン性を向上させることができる。
【００７３】
さらに、図９に示された第３変形例は、ソーラーパネル９と第１の非発電部２６との境界線、およびソーラーパネル９と第２の非発電部２７との境界線に対して、それぞれ交差する多数の細線によって形成された斜め４５度に傾いた格子模様３２を文字板８に設けた構成になっている。
【００７４】
このような第３変形例の格子模様３２によっても、第１の非発電部２６の周囲に位置するソーラーパネル９と第１のアンテナ１５との境界部、および第２の非発電部２７の周囲に位置するソーラーパネル９と第２のアンテナ１６との境界部に、それぞれ段差が生じていても、この段差が文字板８の斜め４５度に傾いた格子模様３２によって目立たないように隠すことができ、これによりデザイン性を向上させることができる。
【００７５】
（第２実施形態）
次に、図１０を参照して、この発明を指針式の腕時計に適用した第２実施形態について説明する。なお、図１〜図６に示された第１実施形態と同一部分には同一符号を付して説明する。
この腕時計は、図１０に示すように、第１のアンテナ１５と第２のアンテナ１６との設置位置、および第１の副表示部２１、第２の副表示部２２、第３の副表示部２３の各設置位置が、それぞれ第１実施形態と異なる構成であり、これ以外は第１実施形態と同じ構成になっている。
【００７６】
すなわち、第１のアンテナ１５は、図１０に示すように、時計モジュール７の１２時側に配置されており、第２のアンテナ１６は、第１のアンテナ１５と対向する時計モジュール７の６時側に配置されている。この場合にも、第１のアンテナ１５と第２のアンテナ１６とは、１２時と６時とを結ぶ直線Ｓ１を中心に約１００度の角度範囲内において対向して配置されるように構成されている。
【００７７】
この場合、第１のアンテナ１５は、図１０に示すように、時計モジュール７における１０時付近から１２時を経て１時付近に達する個所に対応して配置されている。第２のアンテナ１６は、時計モジュール７における４時付近から６時を経て７時付近に到達する個所に対応して配置されている。
【００７８】
この場合、第１のアンテナ１５は、図１０に示すように、文字板８の中心部の貫通孔１８と文字板８の１１時付近の端部との間に対応する位置に配置されている。すなわち、この第１のアンテナ１５は、その中心部が文字板８の１２時と６時とを結ぶ直線Ｓ１に対して、文字板８の中心において反時計回り方向に約１０度の角度で交差する直線Ｓ３上に位置して設けられている。
【００７９】
また、第２のアンテナ１６は、図１０に示すように、その中心が第１のアンテナ１５の中心線を通る直線である対角線Ｓ３上に位置するように配置されている。この場合、第２のアンテナ１６は、その一端部が文字板８の４時付近に対応し、他端部が文字板８の７時付近に対応し、この状態で文字板８の外周部に沿うように、時計モジュール７内に設けられている。
【００８０】
一方、第１の副表示部２１は、第１実施形態と同様、時計機能のモードや外部環境の温度、湿度などの機能を表示するものであり、１つの第１小針２１ａを備えている。この第１の副表示部２１は、図１０に示すように、文字板８の中心部の貫通孔１８と文字板８のほぼ９時側の端部との間に対応する位置に配置されている。また、この第１の副表示部２１は、１つの第１小針２１ａの回転範囲が所定の角度範囲、例えば１８０度〜３００度程度の角度範囲であり、この第２実施形態では２５０度前後の角度範囲に設定されている。
【００８１】
また、第２の副表示部２２は、第１実施形態と同様、世界の各都市の時刻を表示するワールドタイムなどを表示するものであり、２つの第２小針２２ａ、２２ｂを備えている。この第２の副表示部２２は、図１０に示すように、文字板８の中心部の貫通孔１８と文字板８のほぼ３時側の端部との間に対応する位置に配置され、２つの第２小針２２ａ、２２ｂがそれぞれ３６０度回転するように構成されている。
【００８２】
さらに、第３の副表示部２３は、第１実施形態と同様、アラーム時刻やタイマー時間などの時間機能を表示するものであり、１つの第３小針２３ａを備えている。この第３の副表示部２３は、図１０に示すように、文字板８の中心部の貫通孔１８と文字板８の６時側の端部との間に対応する位置に配置され、１つの第３小針２３ａが３６０度回転するように構成されている。
【００８３】
ところで、第１のアンテナ１５は、図１０に示すように、そのアンテナ領域がほぼ四角形状に形成され、時計モジュール７の外周側に位置する辺部が１０時付近と１時付近との間に位置し、時計モジュール７の中心部の貫通孔１８側に位置する辺部における両側の各角部１５ａ、１５ｂのうち、一方の角部１５ａが第１の副表示部２１の領域に食い込んだ状態で重なり、他方の角部１５ｂが第２の副表示部２２の領域に接近した状態で配置されている。
【００８４】
一方、第２のアンテナ１６は、図１０に示すように、その中心が第１のアンテナ１５の中心線を通る直線である対角線Ｓ３上に位置するように構成されている。この第２のアンテナ１６は、その一端部が文字板８の４時付近に対応し、他端部が文字板８の７時付近に対応し、この状態で文字板８の外周部に沿うように、時計モジュール７内に設けられている。
【００８５】
この場合にも、第２のアンテナ１６は、図１０に示すように、第３の副表示部２３が重ならないように配置されている。これにより、第２のアンテナ１６は、標準時刻電波などの長波の電波を受信する際に、第３の副表示部２３の第３小針２３ａによって受信性能が影響をほとんど受けないように構成されている。
【００８６】
このような第２実施形態の腕時計によれば、第１実施形態と同様、時計モジュール７の端部に配置された第１のアンテナ１５によってＧＰＳ用の高周波の電波を受信することができ、この第１のアンテナ１５に対向する時計モジュール７の他端部に配置された第２のアンテナ１６によってＧＰＳ用の高周波の電波と異なる他の周波数である標準時刻用の長波の電波を受信することができる。これにより、周波数の異なる電波を第１のアンテナ１５と第２のアンテナ１６とで確実にかつ良好に受信することができる。
【００８７】
この場合にも、第１のアンテナ１５と第２のアンテナ１６とは、１２時と６時とを結ぶ直線Ｓ１を中心に約１００度の角度範囲内において対向して配置されていることにより、腕時計を腕に取り付けて使用する際に、腕時計ケース１の６時側が人体側に位置し、腕時計ケース１の１２時側が人体と反対側に位置し、これにより腕時計ケース１の１２時側を人体から離して開放することができるので、人体から離れた１２時側より周波数の異なる電波を第１のアンテナ１５と第２のアンテナ１６とで良好に受信することができる。
【００８８】
すなわち、第１のアンテナ１５は、時計モジュール７における１０時付近から１２時を経て１時付近に到達する個所に対応して配置されており、第２のアンテナ１６は、時計モジュール７における４時付近から６時を経て７時付近に到達する個所に対応して配置されるので、ＧＰＳ用の高周波の電波を腕時計ケース１の１２時側から取り込んで、第１のアンテナ１５で良好に受信することができると共に、標準時刻用の長波の電波を腕時計ケース１の１２時側から取り込んで、第２のアンテナ１６で良好に受信することができる。
【００８９】
この場合、時計モジュール７の中心部の貫通孔１８側に位置する第１のアンテナ１５の辺部における両側の各角部１５ａ、１５ｂのうち、一方の角部１５ａが第１の副表示部２１の領域に食い込んだ状態で重なっていても、この第１の副表示部２１における１つの第１小針２１ａが第１のアンテナ１５の領域上を運針しないため、第１のアンテナ１５の受信性能が第１小針２１ａによって低下しないようにすることができる。
【００９０】
また、この第１のアンテナ１５は、時計モジュール７の中心部の貫通孔１８側の辺部に位置する各角部１５ａ、１５ｂのうち、他方の角部１５ｂが第２の副表示部２２の領域に接近した状態で配置されているので、第１のアンテナ１５の受信性能が２つの第２小針２２ａ、２２ｂの影響をほとんど受けないようにすることができ、これによりＧＰＳ用の高周波の電波を良好に受信することができる。
【００９１】
さらに、第２のアンテナ１６は、第３の副表示部２３が重ならないように配置されているので、第３の副表示部２３の第３小針２３ａによって第２のアンテナ１６の受信性能が低下しないようにすることができ、これにより第２のアンテナ１６で標準時刻電波などの長波の電波を良好に受信することができる。
【００９２】
（第３実施形態）
次に、図１１を参照して、この発明を指針式の腕時計に適用した第３実施形態について説明する。この場合にも、図１〜図６に示された第１実施形態と同一部分には同一符号を付して説明する。
この第３実施形態の腕時計は、図１１に示すように、第１のアンテナ１５と第２のアンテナ１６との設置位置、および第１の副表示部２１、第２の副表示部２２、第３の副表示部２３の各設置位置が、それぞれ第１実施形態と異なる構成であり、これ以外は第１実施形態と同じ構成になっている。
【００９３】
すなわち、第１のアンテナ１５は、図１１に示すように、時計モジュール７の１２時側に配置されており、第２のアンテナ１６は、第１のアンテナ１５と対向する時計モジュール７の６時側に配置されている。この場合にも、第１のアンテナ１５と第２のアンテナ１６とは、１２時と６時とを結ぶ直線Ｓ１を中心に約１００度の角度範囲内において対向して配置されるように構成されている。
【００９４】
これにより、第１のアンテナ１５は、図１１に示すように、時計モジュール７におけるほぼ１１時から１２時を経てほぼ１時に到達する個所に対応して配置されており、第２のアンテナ１６は、時計モジュール７におけるほぼ５時から６時を経てほぼ７時に到達する個所に対応して配置されている。
【００９５】
この場合、第１のアンテナ１５は、図１１に示すように、文字板８の中心部の貫通孔１８と文字板８の１２時側の端部との間に対応する位置に配置されている。すなわち、この第１のアンテナ１５は、その中心部が文字板８の１２時と６時とを結ぶ直線Ｓ１に対して、文字板８の中心において時計回り方向に約５度の角度で交差する直線である対角線Ｓ４上に位置して設けられている。
【００９６】
また、第２のアンテナ１６は、図１１に示すように、その中心が第１のアンテナ１５の中心線を通る直線の対角線Ｓ４上に位置するように配置されている。この場合、第２のアンテナ１６は、その一端部が文字板８のほぼ５時に対応し、他端部が文字板８のほぼ７時に対応し、この状態で文字板８の外周部に沿うように、時計モジュール７内に設けられている。
【００９７】
一方、第１の副表示部２１は、第１実施形態と同様、時計機能のモードや外部環境の温度、湿度などの機能を表示するものであり、１つの第１小針２１ａを備えている。この第１の副表示部２１は、図１１に示すように、文字板８の中心部の貫通孔１８と文字板８のほぼ１０時側の端部との間に対応する位置に配置されている。また、この第１の副表示部２１は、１つの第１小針２１ａの回転範囲が所定の角度範囲、例えば１８０度〜３００度程度の角度範囲であり、この第３実施形態でも、約２５０度前後の角度範囲に設定されている。
【００９８】
また、第２の副表示部２２は、第１実施形態と同様、世界の各都市の時刻を表示するワールドタイムなどを表示するものであり、２つの第２小針２２ａ、２２ｂを備えている。この第２の副表示部２２は、図１１に示すように、文字板８の中心部の貫通孔１８と文字板８の３時側の端部との間に対応する位置に配置され、２つの第２小針２２ａ、２２ｂがそれぞれ３６０度回転するように構成されている。
【００９９】
さらに、第３の副表示部２３は、第１実施形態と同様、アラーム時刻やタイマー時間などの時間機能を表示するものであり、１つの第３小針２３ａを備えている。この第３の副表示部２３は、図１１に示すように、文字板８の中心部の貫通孔１８と文字板８の６時側の端部との間に対応する位置に配置され、１つの第３小針２３ａが３６０度回転するように構成されている。
【０１００】
ところで、第１のアンテナ１５は、図１１に示すように、そのアンテナ領域がほぼ四角形状に形成され、時計モジュール７の外周側に位置する辺部が１１時付近と１時付近との間に位置し、時計モジュール７の中心部の貫通孔１８側に位置する辺部における両側の各角部１５ａ、１５ｂのうち、一方の角部１５ａが第１の副表示部２１の領域に食い込んだ状態で重なり、他方の角部１５ｂが第２の副表示部２２の領域に接近した状態で配置されている。
【０１０１】
一方、第２のアンテナ１６は、図１１に示すように、その中心が第１のアンテナ１５の中心線を通る直線である対角線Ｓ４上に位置するように構成されている。この第２のアンテナ１６は、その一端部が文字板８のほぼ５時に対応し、他端部が文字板８のほぼ７時に対応し、この状態で文字板８の外周部に沿うように、時計モジュール７内に設けられている。
【０１０２】
この場合にも、第２のアンテナ１６は、図１１に示すように、第３の副表示部２３が接近または僅かに重なる状態で配置されている。これにより、第２のアンテナ１６は、標準時刻電波などの長波の電波を受信する際に、第３の副表示部２３の第３小針２３ａによって受信性能がほとんど影響を受けないように構成されている。
【０１０３】
このような第３実施形態の腕時計によれば、第１実施形態と同様、時計モジュール７の端部に配置された第１のアンテナ１５によってＧＰＳ用の高周波の電波を受信することができ、この第１のアンテナ１５に対向する時計モジュール７の他端部に配置された第２のアンテナ１６によってＧＰＳ用の高周波の電波と異なる他の周波数である標準時刻用の長波の電波を受信することができる。これにより、周波数の異なる電波を第１のアンテナ１５と第２のアンテナ１６とで良好に受信することができる。
【０１０４】
この場合にも、第１のアンテナ１５と第２のアンテナ１６とは、１２時と６時とを結ぶ直線Ｓ１を中心に約１００度の角度範囲内において対向して配置されていることにより、腕時計を腕に取り付けて使用する際に、腕時計ケース１の６時側が人体側に位置し、腕時計ケース１の１２時側が人体と反対側に位置し、これにより腕時計ケース１の１２時側を人体から離して開放することができるので、人体から離れた１２時側より周波数の異なる電波を第１のアンテナ１５と第２のアンテナ１６とで良好に受信することができる。
【０１０５】
すなわち、第１のアンテナ１５は、時計モジュール７におけるほぼ１１時から１２時を経てほぼ１時に到達する個所に対応して配置され、第２のアンテナ１６は、時計モジュール７におけるほぼ５時から６時を経てほぼ７時に到達する個所に対応して配置されるので、ＧＰＳ用の高周波の電波を腕時計ケース１の１２時側から取り込んで、第１のアンテナ１５で良好に受信することができると共に、標準時刻用の長波の電波を腕時計ケース１の１２時側から取り込んで、第２のアンテナ１６で良好に受信することができる。
【０１０６】
この場合、時計モジュール７の中心部の貫通孔１８側に位置する第１のアンテナ１５の辺部における両側の各角部１５ａ、１５ｂのうち、一方の角部１５ａが第１の副表示部２１の領域に食い込んだ状態で重なっていても、この第１の副表示部２１における１つの第１小針２１ａが第１のアンテナ１５の領域上を運針しないため、第１のアンテナ１５の受信性能が第１小針２１ａによって低下しないようにすることができる。
【０１０７】
また、この第１のアンテナ１５は、時計モジュール７の中心部の貫通孔１８側の辺部に位置する各角部１５ａ、１５ｂのうち、他方の角部１５ｂが第２の副表示部２２の領域に接近した状態で配置されているので、第１のアンテナ１５の受信性能が２つの第２小針２２ａ、２２ｂの影響をほとんど受けないようにすることができ、これによりＧＰＳ用の高周波の電波を良好に受信することができる。
【０１０８】
さらに、第２のアンテナ１６は、第３の副表示部２３が接近または僅かに重なる状態で配置されているので、第３の副表示部２３の第３小針２３ａによって第２のアンテナ１６の受信性能が低下しないようにすることができ、これにより第２のアンテナ１６で標準時刻電波などの長波の電波を良好に受信することができる。
【０１０９】
（第４実施形態）
次に、図１２を参照して、この発明を指針式の腕時計に適用した第４実施形態について説明する。この場合にも、図１〜図６に示された第１実施形態と同一部分には同一符号を付して説明する。
この第４実施形態の腕時計は、図１２に示すように、第１のアンテナ１５と第２のアンテナ１６との設置位置、および第１の副表示部２１、第２の副表示部２２、第３の副表示部２３の各設置位置が、それぞれ第１実施形態と異なる構成であり、これ以外は第１実施形態と同じ構成になっている。
【０１１０】
すなわち、第１のアンテナ１５は、図１２に示すように、時計モジュール７のほぼ２時側に配置されており、第２のアンテナ１６は、第１のアンテナ１５と対向する時計モジュール７のほぼ７時側に配置されている。この場合には、第１のアンテナ１５と第２のアンテナ１６とは、対角線上に位置せず、１２時と６時とを結ぶ直線Ｓ１に対してそれぞれ異なる角度の各直線Ｓ５、Ｓ６上に配置されている。
【０１１１】
この場合にも、第１のアンテナ１５と第２のアンテナ１６とは、図１２に示すように、１２時と６時とを結ぶ直線Ｓ１を中心に約１００度程度の角度範囲内において対向して配置されている。すなわち、第１のアンテナ１５は、その中心部が文字板８の１２時と６時とを結ぶ直線Ｓ１に対して、文字板８の中心において時計回り方向に約５０度の角度で交差する直線Ｓ５上に位置して設けられている。これにより、第１のアンテナ１５は、時計モジュール７における１時付近から２時付近の個所に対応して配置されている。
【０１１２】
また、第２のアンテナ１６は、図１２に示すように、その中心部が文字板８の１２時と６時とを結ぶ直線Ｓ１に対して、文字板８の中心において時計回り方向に約３０度の角度で交差する直線Ｓ６上に位置して設けられている。これにより、第２のアンテナ１６は、その一端部が文字板８の６時付近に対応し、他端部が文字板８の８時付近に対応し、この状態で文字板８の外周部に沿うように、時計モジュール７内に設けられている。
【０１１３】
一方、第１の副表示部２１は、第１実施形態と同様、時計機能のモードや外部環境の温度、湿度などの機能を表示するものであり、１つの第１小針２１ａを備えている。この第１の副表示部２１は、図１２に示すように、文字板８の中心部の貫通孔１８と文字板８の１２時側の端部との間に対応する位置に配置されている。また、この第１の副表示部２１は、１つの第１小針２１ａの回転範囲が所定の角度範囲、例えば１８０度〜３００度程度の角度範囲であり、この第４実施形態では、１８０度前後の角度範囲に設定されている。
【０１１４】
また、第２の副表示部２２は、第１実施形態と同様、世界の各都市の時刻を表示するワールドタイムなどを表示するものであり、２つの第２小針２２ａ、２２ｂを備えている。この第２の副表示部２２は、図１２に示すように、文字板８の中心部の貫通孔１８と文字板８の６時側の端部との間に対応する位置に配置され、２つの第２小針２２ａ、２２ｂがそれぞれ３６０度回転するように構成されている。
【０１１５】
さらに、第３の副表示部２３は、第１実施形態と同様、アラーム時刻やタイマー時間などの時間機能を表示するものであり、１つの第３小針２３ａを備えている。この第３の副表示部２３は、図１２に示すように、文字板８の中心部の貫通孔１８と文字板８の９時側の端部との間に対応する位置に配置され、１つの第３小針２３ａが３６０度回転するように構成されている。
【０１１６】
ところで、第１のアンテナ１５は、図１２に示すように、そのアンテナ領域がほぼ四角形状に形成され、時計モジュール７の外周側に位置する辺部がほぼ１時付近とほぼ２時付近との間に位置し、時計モジュール７の中心部の貫通孔１８側に位置する辺部における両側の各角部１５ａ、１５ｂのうち、一方の角部１５ａが第１の副表示部２１の領域に食い込んだ状態で重なるように配置され、他方の角部１５ｂが第２の副表示部２２から離れた状態で配置されている。
【０１１７】
また、第２のアンテナ１６は、図１２に示すように、第２の副表示部２２が接近した状態で重ならないように配置されている。これにより、第２のアンテナ１６は、標準時刻電波などの長波の電波を受信する際に、第２の副表示部２２の第２小針２２ａ、２２ｂによって受信性能が影響を受けないように構成されている。
【０１１８】
このような第４実施形態の腕時計によれば、第１実施形態と同様、時計モジュール７の端部に配置された第１のアンテナ１５によってＧＰＳ用の高周波の電波を受信することができ、この第１のアンテナ１５に対向する時計モジュール７の他端部に配置された第２のアンテナ１６によってＧＰＳ用の高周波の電波と異なる他の周波数である標準時刻用の長波の電波を受信することができる。これにより、周波数の異なる電波を第１のアンテナ１５と第２のアンテナ１６とで確実にかつ良好に受信することができる。
【０１１９】
この場合にも、第１のアンテナ１５と第２のアンテナ１６とは、１２時と６時とを結ぶ直線Ｓ１を中心に約１００度程度の角度範囲内において対向して配置されていることにより、第１実施形態と同様、腕時計を腕に取り付けて使用する際に、腕時計ケース１の６時側が人体側に位置し、腕時計ケース１の１２時側が人体と反対側に位置し、これにより腕時計ケース１の１２時側を人体から離して開放することができるので、人体から離れた１２時側より周波数の異なる電波を第１のアンテナ１５と第２のアンテナ１６とで良好に受信することができる。
【０１２０】
すなわち、第１のアンテナ１５は、時計モジュール７におけるほぼ１時からほぼ２時の個所に対応して配置され、第２のアンテナ１６は、時計モジュール７におけるほぼ６時からほぼ８時の個所に対応して配置されるので、ＧＰＳ用の高周波の電波を腕時計ケース１の１２時側から取り込んで、第１のアンテナ１５で良好に受信することができると共に、標準時刻用の長波の電波を腕時計ケース１の１２時側から取り込んで、第２のアンテナ１６で良好に受信することができる。
【０１２１】
この場合、時計モジュール７の中心部の貫通孔１８側に位置する第１のアンテナ１５の辺部における両側の各角部１５ａ、１５ｂのうち、一方の角部１５ａが第１の副表示部２１の領域に大きく食い込んだ状態で重なっていても、この第１の副表示部２１における１つの第１小針２１ａが第１のアンテナ１５の領域上を運針しないため、第１のアンテナ１５の受信性能が第１小針２１ａによって低下しないようにすることができる。
【０１２２】
また、第２のアンテナ１６は、第２の副表示部２２が接近した状態で重なることなく配置されているので、第２の副表示部２２の２つの第２小針２２ａ、２２ｂによって第２のアンテナ１６の受信性能が低下しないようにすることができ、これにより第２のアンテナ１６で標準時刻電波などの長波の電波を良好に受信することができる。
【０１２３】
なお、上述した第１〜第４の各実施形態およびその各変形例では、第１〜第３の副表示部２１〜２３を備えている場合について述べたが、これに限らず、副表示部は、１つでも良く、２つでも良く、また４つ以上設けても良く、あるいは副表示部はなくても良い。
【０１２４】
また、述した第１〜第４の各実施形態およびその各変形例では、時針、分針、秒針などの指針２０、第１小針２１ａ、２つの第２小針２２ａ、２２ｂ、及び１つの第３小針２３ａが金属材料からなる場合について述べたが、これに限らず、樹脂材料でも良く、カーボン製の材料でも良い。
【０１２５】
また、上述した第１〜第４の各実施形態およびその各変形例では、ソーラーパネル９に設けられて第１のアンテナ１５に対応する第１の非発電部２６と第２のアンテナ１６に対応する第２の非発電部２７とが、ソーラーパネル９を切り欠いた構成になっている場合について述べたが、これに限らず、第１の非発電部２６および第２の非発電部２７は、例えばフィルム基板を残して下部電極、半導体層、および上部電極を取り除いた構成であっても良い。
【０１２６】
また、上述した第１〜第４の各実施形態およびその各変形例では、ソーラーパネル９に設けられて第１のアンテナ１５に対応する第１の非発電部２６が、ソーラーパネル９を切り欠いた構成になっている場合について述べたが、これに限らず、第１の非発電部２６は、例えば第１のアンテナ１５の放射電極の外形に対応する部分だけフィルム基板を残して下部電極、半導体層、および上部電極を取り除いた構成であっても良く、さらに、受信性能に対する多少の影響はあるが、放射電極の外形に対応して取り除いた領域の内側のセル９ａを、他の複数のセル９ａと接続部を設けて、直列に接続する構成であっても良い。
【０１２７】
さらに、上述した第１〜第４の各実施形態およびその各変形例では、指針式の腕時計に適用した場合について述べたが、必ずしも腕時計である必要はなく、例えばトラベルウオッチ、目覚まし時計、置き時計、掛け時計などの各種の指針式の時計に適用することができるほか、必ずしも時計である必要はなく、携帯電話機や携帯情報端末機などの電子機器にも適用することができる。
【０１２８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１２９】
（付記）
請求項１に記載の発明は、ケースと、前記ケース内に設けられた文字板と、前記文字板の下側に配置されたモジュールと、を備え、前記モジュールは、端部に配置されて高周波の電波を受信する第１のアンテナと、この第１のアンテナに対向する他端部に配置されて前記高周波の電波と異なる周波数の電波を受信する第２のアンテナと、を有していることを特徴とする電子機器である。
【０１３０】
請求項２に記載の発明は、請求項１に記載の電子機器において、前記モジュールは、前記文字板に設けられた貫通孔に挿入された指針軸を有していることを特徴とする電子機器である。
【０１３１】
請求項３に記載の発明は、請求項１または請求項２に記載の電子機器において、前記文字板は光透過性を有する材料で形成され、前記文字板と前記モジュールとの間には、外部光を受光して発電するソーラーパネルが配置されていることを特徴とする電子機器である。
【０１３２】
請求項４に記載の発明は、請求項３に記載の電子機器において、前記ソーラーパネルは、少なくとも前記第１のアンテナに対応する領域が非発電部に形成されていることを特徴とする電子機器である。
【０１３３】
請求項５に記載の発明は、請求項４に記載の電子機器において、前記文字板は、１２時と６時とを結ぶ直線に対して線対称の模様を有し、前記模様に対して前記ソーラーパネルの前記非発電部の境界線が予め定められた角度で傾斜していることを特徴とする電子機器である。
【０１３４】
請求項６に記載の発明は、請求項５に記載の電子機器において、前記模様は、所定間隔で周期的に形成されていることを特徴とする電子機器である。
【０１３５】
請求項７に記載の発明は、請求項１〜請求項６のいずれかに記載された電子機器において、前記第１のアンテナの両側には、１つの小針を有する第１の副表示部と、２つの小針を有する第２の副表示部と、が配置され、前記第１の副表示部は、前記第２の副表示部より前記第１のアンテナに近く、前記第１の副表示部の小針軸に近接配置されていることを特徴とする電子機器である。
【０１３６】
請求項８に記載の発明は、腕時計ケースと、前記腕時計ケース内に設けられた文字板と、前記文字板の下側に配置された時計モジュールと、を備え、前記時計モジュールは、端部に配置されて高周波の電波を受信する第１のアンテナと、この第１のアンテナに対向する他端部に配置されて前記高周波の電波と異なる周波数の電波を受信する第２のアンテナと、を有していることを特徴とする腕時計である。
【符号の説明】
【０１３７】
１  腕時計ケース
２  時計ガラス
７  時計モジュール
８  文字板
９  ソーラーパネル
９ａ  セル
１４  時計ムーブメント
１５  第１のアンテナ
１６  第２のアンテナ
１８  貫通孔
１９  指針軸
２０  指針
２１  第１の副表示部
２２  第２の副表示部
２３  第３の副表示部
２６  第１の非発電部
２７  第２の非発電部
２８  ストライプ模様
３０、３２  格子模様
３１  市松模様
【図１】
0005936150.tif 000002
【図２】
0005936150.tif 000003
【図３】
0005936150.tif 000004
【図４】
0005936150.tif 000005
【図５】
0005936150.tif 000006
【図６】
0005936150.tif 000007
【図７】
0005936150.tif 000008
【図８】
0005936150.tif 000009
【図９】
0005936150.tif 000010
【図１０】
0005936150.tif 000011
【図１１】
0005936150.tif 000012
【図１２】
0005936150.tif 000013